(57)【要約】【課題】  係員の操作性、処理速度を低下させることなく、片手で紙幣を取り出し可能な紙葉類処理装置を提供することにある。【解決手段】  投入口３に投入された紙葉類Ｓを、識別部７が識別し、識別の結果、前記紙葉類処理装置内に収納される紙葉類を収納する複数の収納庫Ｃ１〜Ｃ４と、識別の結果、前記紙葉類処理装置に収納されず返却される紙葉類を集積する返却口４とを備え、返却口４は扉４１を有し、該扉は、該扉を開ける際に押下される取っ手部４２を有し、扉４１は、取っ手部４２が押下されると、取っ手部４２とともに回動して開き、扉４１は、取っ手部４１が配置される位置に切り欠きを有する。【選択図】  図１
2008250600.tif 000002
【特許請求の範囲】
【請求項１】
紙葉類を処理する紙葉類処理装置において、
前記紙葉類処理装置内に取り込まれる紙葉類を受け付ける投入口と、
前記投入口に投入された紙葉類を搬送する搬送部と、
前記搬送部によって搬送された紙葉類を識別する識別部と、
前記識別部による識別の結果、前記紙葉類処理装置内に収納される紙葉類を収納する複数の収納庫と、
前記識別部による識別の結果、前記紙葉類処理装置に収納されず返却される紙葉類を集積する返却口とを備え、
前記返却口は扉を有し、
該扉は、該扉を開ける際に押下される取っ手部を有し、
前記扉は、前記取っ手部が押下されると、該取っ手部とともに回動して開き、
前記扉は、前記取っ手部が配置される位置に切り欠きを有することを特徴とする紙葉類処理装置。
【請求項２】
前記返却口の底面は、前記扉の取っ手部に対応する位置に開口部を有し、
前記扉は、前記返却口底面よりも下部に突起を有し、
前記扉の回動に伴い、前記突起は、前記開口部において、前記返却口に集積された紙葉類に接触することを特徴とする請求項１記載の紙葉類処理装置。
【請求項３】
前記紙葉類処理装置は、
前記扉と連結するばねを備え、
該ばねは、前記扉を閉じる方向に付勢することを特徴とする請求項１記載の紙葉類処理装置。
【請求項４】
前記紙葉類処理装置は、
前記扉と連結するダンパを備え、
前記ダンパにより、前記ばねの付勢のみによって前記扉が閉じるよりも遅く前記扉が閉じることを特徴とする請求項３記載の紙葉類処理装置。
【請求項５】
前記紙葉類処理装置は、
前記扉が閉じている状態を維持する吸着機構を備えることを特徴とする請求項１記載の紙葉類処理装置。
【発明の詳細な説明】
【技術分野】
【０００１】
この発明は、銀行等の金融機関内に設置された紙幣等の紙葉類を取扱う紙葉類処理装置に関する。
【背景技術】
【０００２】
紙葉類を受け付けて収納または返却の処理を行う紙葉類処理装置の一例として、金融機関の係員窓口に設置される紙幣入出金機がある。この紙幣入出金機は、係員が顧客から預かった紙幣を入金する場合、紙幣が入出金機に投入されると、内部に備わる識別部によって紙幣の真偽判定のような複数の判定項目に基づいて紙幣が正常であるか異常であるかを識別する。そして、真紙幣であり紙幣入出金機で取り扱い可能な紙幣であると判定することにより紙幣が正常であると識別すると、その紙幣を収納して入金する。
【０００３】
このような装置においては、係員が装置入出金口に入金紙幣を直接セットし、更に出金あるいは入金リジェクト紙幣等の装置より放出される紙幣を係員が直接取り出す構成となっている。このため、係員が直接装置を操作し入出金を行う装置においては、係員の操作性を重視するため、ＡＴＭ等の自動機のような自動で開閉するシャッタ機構はあまり用いられず、放出される紙幣の飛散を防止するための暖簾式の簡単な紙幣ストッパ機構を有している程度である。あるいは出金、返却口のみ自動で開閉するシャッタを備える装置や、出金、返却口および入金口の全てに自動で開閉するシャッタを備える紙幣取扱い機構を設けた装置が開示されている（特許文献１参照）。
【０００４】
【特許文献１】特開昭５５−１１９７７５号公報
【発明の開示】
【発明が解決しようとする課題】
【０００５】
上記のとおり、金融機関の係員窓口に設置される紙幣入出金機などでは係員の操作性、処理速度を重視するため、ＡＴＭ等のような自動で開閉するシャッタ機構は用いられないことが多い。紙幣入出金装置においては、閉じる方向に加勢するバネを具えた暖簾式紙幣ストッパ機構を具えているものが多い。放出される紙幣は暖簾式ストッパ機構によって紙幣放出時、放出勢い等によって飛散しないようになっている。ストッパ機構は扉の役割を兼ねており、係員が集積された紙幣を取り出す際は、暖簾式ストッパ機構を兼ねた扉の切欠き部より集積された紙幣を把持し、係員の方向に引っ張ることによって紙幣が暖簾式ストッパ機構を押しのけ、紙幣が取り出せる構成となっている。
【０００６】
しかし、紙幣が暖簾式ストッパを兼ねた扉を直接押しのける方式となっている為、腰の弱い紙幣では暖簾をうまく押しのけられず暖簾手前で紙幣が座屈し引っ掛かたり、紙幣引き抜き時に暖簾部分で紙幣に傷がつく等の問題点があった。
【０００７】
本発明の目的は、係員の操作性を向上し、紙幣を取り出し可能な紙葉類処理装置を提供することにある。
【課題を解決するための手段】
【０００８】
上記目的を達成するために本発明は、装置内に取り込まれた紙葉類を識別した結果、返却される紙葉類を集積する返却口が扉を有し、前記扉は、該扉を開ける際に押下される取っ手部を有し、前記扉は、前記取っ手部が配置される位置に切り欠きを有する構成を採用した。
【発明の効果】
【０００９】
本発明によれば、係員の操作性を低下させることなく、返却口に放出された紙葉類を取り出し可能な紙葉類処理装置を提供することができる。
【発明を実施するための最良の形態】
【００１０】
以下に、本発明の一実施形態を、図面を用いて詳細に説明する。
【実施例１】
【００１１】
図１は、本発明の一実施形態である紙幣入出金機１の内部構造を示す図である。図１において、紙幣入出金機１は、金融機関の係員窓口に設置される。この紙幣入出金機１は、投入される紙幣Ｓを、媒体種類別に内部のカセットＣ１〜Ｃ４に収納して入金する機能と、カセットＣ１〜Ｃ４に収納している紙幣Ｓを指示された媒体種類や枚数に基づいて取り出して出金する機能とを備えている。
【００１２】
紙幣入出金機１は、紙幣入出金機１の本体２、入金する紙幣Ｓが投入される投入口（入金口）３、投入された紙幣Ｓを返却する返却口４、出金する紙幣Ｓを放出する放出口（出金口）５で構成される。
【００１３】
なお、投入口３は、紙幣Ｓを横方向にセット、繰出しできる構成となっている。また、図示しない繰出し用弾性体ローラによって、紙幣Ｓを横方向に繰出しできる構成となっている。
【００１４】
返却口４、出金口５は、紙幣Ｓを横方向に集積できる構成となっている。また、図示しない集積用弾性体ローラによって紙幣Ｓを横方向に集積できる構成となっている。
【００１５】
一時保留部６は、投入された紙幣Ｓに対する処理が確定するまで紙幣を一時的に保留する。また図示しない繰出し・集積用弾性体ローラによって、紙幣Ｓを横方向に繰出し、集積ができる構成となっている。
【００１６】
なお、投入口３、返却口４、出金口５は、本体２の前面上部に設けられていて、一時保留部６は本体２の内部に設けられている。
【００１７】
また、紙幣入出金機１は、入出金する紙幣Ｓが正常であるか異常であるかを、複数の判定項目に基づいて識別する識別部７を備える。なお、複数の判定項目としては、紙幣の真偽判定や媒体種類判定等がある。
【００１８】
第１カセットＣ１〜第４カセットＣ４は、紙幣Ｓを媒体種類別に収納する収納庫である。本実施形態では、第１カセットＣ１は千円札、第２カセットＣ２は千円札、第３カセットＣ３は五千円札、第４カセットＣ４は一万円札をそれぞれ収納する。Ｃ５はリジェクトカセットであって、第１〜第４カセットＣ１〜Ｃ４から取り出した紙幣が破損している等の異常な紙幣であるため出金が不可能な場合に、それらの紙幣をカセットＣ５に回収する。紙幣入出金機１はこれらのカセットＣ１〜Ｃ５に対して紙幣Ｓを出し入れし、入出金取引を行う。
【００１９】
上部搬送ラインＬ１は、紙幣Ｓを搬送するための搬送路であって、投入口３から識別部７を介して返却口４または出金口５までをループ状に接続している。分岐搬送ラインＬ２は、紙幣Ｓを搬送するための搬送路であって、上部搬送ラインＬ１の途中で分岐し、一時保留部６を介して再び上部搬送ラインＬ１へ接続している。下部搬送ラインＬ３は、紙幣Ｓを搬送するための搬送路であって、識別部７と各カセットＣ１〜Ｃ５とをループ状に接続している。なお、図１では、各搬送ラインＬ１、Ｌ２、Ｌ３を駆動するためのモータやローラ等の駆動機構は図示を省略している。
【００２０】
紙幣入出金機１は、本体２の上面に操作部８を備える。操作部８には紙幣Ｓの金額や紙幣入出金機１の動作状態等を表示する表示部、紙幣入出金機１に対して各種の保守作業を行うために操作される監査キースイッチ、一時保留部６に保留された紙幣Ｓに対して入金の確定を指示するために操作される入金確定ボタン、一時保留部６に保留された紙幣Ｓに対して入金の取り消しを指示するために操作される入金取消ボタン、投入口３に投入された紙幣Ｓの金額を計数するために操作される計数ボタン、紙幣入出金機１の状態をリセットするためのリセットボタン等を備えている。なお、これらのスイッチ・ボタンは、表示部と別に備えられていても良いし、タッチパネルディスプレイのように、表示部に操作ボタン等が表示されて操作するような構成でも良い。
【００２１】
紙幣入出金機１において紙幣を入金する場合は、係員は投入口３に紙幣Ｓを投入し、計数ボタンを押して紙幣の計数を指示すると、紙幣Ｓは投入口３から一枚ずつ繰出されて上部搬送ラインＬ１を通って識別部７へ搬送される。そして、識別部７で紙幣Ｓの真偽や金種等の複数項目の判定が行われて、それらの判定結果に基づいて紙幣Ｓが正常であるか異常であるかが識別される。なお、このときの金種判定は、投入口３から繰出されて来た紙幣Ｓが、紙幣入出金機１で取り扱い可能な金種の紙幣であるか、取り扱い不可能な金種の紙幣であるかを確認するために行われていて、取り扱い可能な紙幣とは、カセットＣ１〜Ｃ４のいずれかに収納してもよい紙幣のことであり、取り扱い不可能な紙幣とは、カセットＣ１〜Ｃ４のいずれにも収納してはいけない紙幣のことである。また、識別部７が正常であると識別する紙幣とは、複数項目の判定の全てを満足した紙幣のことであり、識別部７が異常であると識別する紙幣とは、複数項目の判定のうち少なくとも１つの項目を満足しなかった紙幣のことである。異常であると識別される紙幣には、例えば、偽造紙幣や、紙幣入出金機１で取り扱い不可能な紙幣や、流通過程で傷んだため真紙幣であるにも拘らず真偽判定で偽紙幣であると判定された紙幣等が含まれる。
【００２２】
識別部７によって、真紙幣であり且つ取り扱い可能な紙幣である等と判定されることにより正常であると識別された紙幣Ｓは、上部搬送ラインＬ１から分岐搬送ラインＬ２を通り一時保留部６へ搬送されて、ここで一時的に保留される。一方、偽紙幣であると判定された紙幣や、取り扱い不可能な紙幣である等と判定されることにより異常であると識別された紙幣Ｓは、上部搬送ラインＬ１を通り返却口４へ搬送、集積される。紙幣Ｓが一時保留部６または返却口４に搬送されると、次の紙幣が投入口３から一枚繰出されて識別部７へ搬送され、識別部７での識別結果に応じて一時保留部６または返却口４へ搬送される。そして、上記のようにして投入口３の紙幣Ｓが全て搬送されると、係員は返却口４に搬送、集積された紙幣Ｓを投入口３に再度投入するか、一時保留部６に集められた紙幣Ｓに対する処理の指示を行う。ここで、係員が返却口４に搬送された紙幣Ｓを入金口３に再度投入し、計数ボタンを押すと、上述したように紙幣Ｓが投入口３から一枚繰出されて識別部７へ搬送され、さらに一時保留部６または返却口４へ搬送される。
【００２３】
一方、係員が入金確定ボタンを押して一時保留部６の紙幣Ｓの入金確定を指示すると、紙幣Ｓは一時保留部６から一枚繰出されて上部搬送ラインＬ１を通り識別部７へ搬送される。そして、識別部７で再度紙幣の金種判定が行われ、紙幣Ｓは、判定された金種に対応するカセットＣ１〜Ｃ４へ下部搬送ラインＬ３を通って搬送されて収納される。この後は、次の紙幣Ｓが一時保留部６から一枚繰り出されて上部搬送ラインＬ１を通り識別部７へ搬送され、識別部７で判定された金種に対応するカセットＣ１〜Ｃ４へ搬送されて収納される。このようにして、一時保留部６の紙幣Ｓが全てカセットＣ１〜Ｃ４に振り分けられて収納されると、紙幣Ｓに対する処理が完了する。なお、係員が入金確定ボタンではなく入金取消ボタンを押して一時保留部６の紙幣Ｓの入金取消を指示すると、紙幣Ｓは一時保留部６から一枚ずつ繰出されて上部搬送ラインＬ１を通り返却口４へ搬送、集積される。このようにして、一時保留部６の紙幣Ｓが全て返却口４に搬送、集積されると、紙幣Ｓに対する処理が完了する。
【００２４】
紙幣入出金機１から紙幣Ｓを出金する場合は、係員が図示しないテンキー等により出金する金額と紙幣の金種を指定すると、指定された金種に対応するカセットＣ１〜Ｃ４から紙幣Ｓが繰出されて、下部搬送ラインＬ３を通って識別部７へ搬送される。そして、識別部７で金種等の判定が行われ、それらの判定結果から紙幣が正常であるか異常であるかが識別される。なお、このときの金種判定は、指定された金種と一致しているか否かを確認するために行われている。ここで、紙幣の金種が指定された金種と一致している等と判定されることにより正常であると識別された紙幣Ｓは、上部搬送ラインＬ１を通って出金口５へ搬送され、出金口５から取り出しを許容された状態となる。一方、紙幣の金種が指定された金種と一致していない等と判定されることにより異常であると識別された紙幣Ｓは、下部搬送ラインＬ３を通ってリジェクトカセットＣ５へ回収される。
【００２５】
次に、図２〜７を用いて投入口部の詳細な構造を説明する。図２は、紙幣入出金機１の投入口部（入金口３、返却口４、出金口５）の概略図であり、図３は返却口に備えられるストッパを兼ねた扉の概略図であり、図４は返却口部へのねじりコイルバネ、ダンパ実装の概略図であり、図５は返却口部への磁石、吸着板実装の概略図であり、さらに図６は返却口扉に実装された紙幣押し上げ形状による紙幣持ち上げ時の概略図であり、図６（ａ）は扉閉時の側面断面図、図６（ｂ）は扉開時の扉閉時の側面断面図である。また図７は返却口の集積床面の開口部概略図である。
【００２６】
紙幣入出金機１の出金口５には、アクチュエータ（図示しない）によって自動的に開閉するシャッタ５１（図２）を備え、出金される紙幣が出金口５に搬送、集積された後、自動的に開き、係員による紙幣取り出しが可能となる。出金口５に自動的に開閉するシャッタ５１を備える理由は、動作中の紙幣が機内、機外のいずれに所属するものかを明確にさせるためのものである。たとえば出金動作によって、出金口５に複数の紙幣が搬送、集積する動作中に異常が発生し、機器停止した場合、シャッタ５１は閉じた状態のままであり、係員が出金指定枚数中の一部しか集積されていないことに気付かずに出金完了と判断して出金口５の紙幣を抜き取り顧客に手渡してしまう事態を防止している。
【００２７】
また、紙幣入出金機１の返却口４には、集積される紙幣Ｓのストッパを兼ねた扉４１（図２）が備えられている。ストッパを兼ねた扉４１には開閉用の取っ手４２（図３）、集積された紙幣を持ち上げる突起４７（図６）、ストッパを兼ねた扉４１を閉方向に加勢するねじりコイルバネ４３（図４）、ストッパを兼ねた扉４１の開閉動作速度を抑制するダンパ４４（図４）、返却口４に固定された磁石４５、ストッパを兼ねた扉４１の回転軸に固定され、ストッパを兼ねた扉４１が閉じた状態において磁石４５（図５）と吸着する吸着板４６（図５）を備える。集積部底面には、取っ手４２に対応した部分に開口部４８（図７）が設けられている。
【００２８】
係員が入金操作においてリジェクトされ返却口４に集積された紙幣Ｓを取り出すときは、上方よりＡの方向に手を下ろして取っ手４２に手を降ろすことでストッパを兼ねた扉４１が開く（図６）。この状態で手をそのまま返却口４に挿入し、紙幣を持ち上げる突起４７によって先端が持ち上がった紙幣Ｓを把持し、Ｂの方向へ引き抜く（図６）。引き抜いた後ストッパを兼ねた扉４１はねじりコイルバネ４３によって自動的に閉じる。ダンパ４４によってストッパを兼ねた扉４１が閉じる速度は遅くなっているため、係員が紙幣Ｓを引き抜く際にストッパを兼ねた扉４１が閉じて邪魔になることはない。上記のように、操作者は片手での、ワンアクションの操作で容易にかつ確実に装置内部に滞在する全ての紙幣を取り出すことが出来る構成になっている。
【００２９】
さらに、図３で示すように、ストッパを兼ねた扉４１は回転軸との連結部と取っ手４２から構成され、取っ手４２は、扉４１の略中央かつ下端部に設けている。また、取っ手４２の幅が操作者（一般の大人）の指が数本入る程度の幅にて構成されている。上述のように下端部に設けることで、操作者が操作する場合、上記取っ手４２に数本の指をかざして装置の下側に降ろす操作が自然に出来るように構成されている。本構成により、操作者が間違って、取っ手４２を指でつまんで装置の上側に上記取っ手４２を動作させるようなミス操作をすることがないように考慮されている。
【００３０】
また、扉４１のうち、取っ手４２が配置されている部分は、図３に示すように空間（切り欠き）４００を有している。これは、係員が指先で取っ手の端部を押下しようとする場合だけでなく、手のひらや手の甲で取っ手の端部を押下しようとする場合を考慮しているからである。つまり、手のひらや手の甲で取っ手の端部を押下しようとする場合は、手のひらや手の甲が取っ手に触れる前に、取っ手よりも奥にある指等が扉に触れる可能性がある。この場合は、扉の上部（取っ手よりも幅が狭い部分）を指で押すことになり、取っ手を押下するよりも大きな力が必要になり、扉を開ける際の操作性が悪くなるおそれがある。換言すれば、取っ手により扉が開けやすくなっているのに、（先に指が扉に触れてしまうと）その取っ手を活かせないことになる。また、扉の取っ手が配置されている部分に空間（切り欠き）４００がないと、係員は、扉に触れないようにしながら（扉を気にしながら）取っ手を押下する必要があり、操作性が悪くなる。よって、扉の取っ手が配置されている部分に空間（切り欠き）４００を設けており、これにより、扉を開ける（取っ手を押下する）操作性が良くなり、扉を開けやすくなる。
【００３１】
また、ストッパを兼ねた扉４１が閉じているときは磁石４５と板４６が吸着しており（図５）、返却される紙幣が集積する際の係止力を確保しているので、集積される紙幣の放出勢いによって扉４１が開いたり、紙幣が飛出したりすることは起こらないような構成になっている。また上述の磁石を用いることで、係止力を確保するためにむやみにねじりコイルバネ４３の力を強くする必要がないため、ストッパを兼ねた扉４１を開ける操作力を適度な重さに設定することができる。
【００３２】
以上の説明によれば、特に係員が紙幣を扱う紙幣処理装置においては、紙幣の取り扱いの操作性、処理速度を低下させることなく、放出された紙葉類に傷等をつけることなく、更には腰の弱い紙葉類等においても良好に、片手で取り出し可能な紙葉類取り出し口を提供することが可能となる。
【００３３】
また、係員が集積された紙幣を取り出すために出金口に差し伸べた手が、紙幣を係止するストッパを兼ねた扉を押しのけ、片手で紙幣をスムーズに取り出すことができる。かつ紙幣が直接扉を押さず紙幣が取り出せるため、腰の弱い紙幣が扉に引っ掛かって座屈したり、扉部分で紙幣に傷がついたりすることがない。
【図面の簡単な説明】
【００３４】
【図１】本発明の一実施形態である紙幣入出金機１の内部構成図
【図２】紙幣入出金機１の投入口部の概略図
【図３】返却口４に設けられた扉４１の概略図
【図４】返却口４に設けられた扉４１へのねじりコイルバネ４３、ダンパ４４実装概略図
【図５】返却口４に設けられた扉４１への磁石４５、吸着板４６実装概略図
【図６】返却口扉４１に紙幣が集積された場合の（ａ）扉閉時の側面断面図および（ｂ）扉開時の側面断面図
【図７】集積部底面の開口部４８の概略図
【符号の説明】
【００３５】
１：紙幣入出金機、２：本体、３：投入口、４：返却口、５：出金口、６：一時保留部、７：識別部、８：操作部、４１：返却口扉、４２：取っ手、４３：ねじりコイルバネ、４４：ダンパ、４５：磁石、４６：吸着板、４７：突起、４８：集積部底面の開口部、４００：切り欠き、Ｃ１：第１カセット、Ｃ２：第２カセット、Ｃ３：第３カセット、Ｃ４：第４カセット、Ｃ５：リジェクトカセット、Ｌ１：上部搬送ライン、Ｌ２：分岐搬送ライン、Ｌ３：下部搬送ライン、Ｓ：紙幣
【図１】
2008250600.tif 000003
【図２】
2008250600.tif 000004
【図３】
2008250600.tif 000005
【図４】
2008250600.tif 000006
【図５】
2008250600.tif 000007
【図６】
2008250600.tif 000008
【図７】
2008250600.tif 000009